(57)【要約】      （修正有）【課題】簡単な構成でテンプルの拡開閉を１本のバネの働きで付勢力を与えることが出来るように、また使用者の頭部に装着（セッテイング）することを容易にする、バネ付きテンプル（眼鏡）を課題とする。【解決手段】蝶番（雌）（５）の蝶番溝（６）を通常より深く切り込み、次に蝶番（雄）（３）、蝶番（雌）（５）を合体して蝶番溝（６）にバネ（７）を通して蝶番（雄）（３）の裏側に沿わし、バネ（７）をテンプル（２）側に延長しテンプル（２）にバネ止めビス（８）で固定する、こうすることでバネ（７）が梃の働きをする事によってテンプル（２）がスムーズな拡開閉となる構成を解決手段とする。【選択図】図３
0003121784.tif 000002
【実用新案登録請求の範囲】
【請求項１】
テンプル（２）の内側にバネ（７）を止めビスで固定しバネ（７）の先端部を蝶番（雌）（５）の内側を通し、かつ蝶番（雄）（３）に添わしバネ（７）が梃子の応用となる、バネ付きテンプル（眼鏡）。
【請求項２】
蝶番（雄）（３）蝶番（雌）（５）組み合わせ、蝶番（雌）（５）の蝶番溝（６）を深くした蝶番を特徴とする、つまり蝶番（雌）（５）の蝶番溝（６）を通常の深さより深めに切り込んだ蝶番。
【考案の詳細な説明】
【技術分野】
【０００１】  本考案は眼鏡のバネ付きテンプルに関する、眼鏡のテンプルが折り畳んである物を起こし、頭部に装着する際はさらに拡開される、しかし従来の眼鏡のテンプルは規定の巾にしか広がらない、頭部に装着する際には無理をして広げ頭部に装着することになる、本考案は無理なくテンプルが容易に拡開閉する技術を提供するものである。
【背景技術】
【０００２】  頭部から眼鏡を脱着しようとする際、テンプルを規定の巾より外側に無理して拡開しなければならない、これが原因でテンプルの取り付けの蝶番部分に大きな力が加わり、眼鏡自体の故障や眼鏡の変形が起こりやすい欠点があった、このような弊害をなくすための物が出回っている、これは眼鏡枠（フロント）とテンプルを蝶番で接続されて、テンプル側の蝶番の端部分に内装したコイルによって弾力に少々前後動く機構のバネ蝶番が存在している。【０００３】  しかしこの種のバネ蝶番は機構が複雑でありしかも機構部品が小さいものであり、テンプルの拡開閉えお繰り返しているうちに、各部分が磨耗しやすい、また装着人の汗とか雨などの侵入しやすくまた埃などの付着などでスムーズに動かなくなると言った欠点があった、また小部品が多く使用している事からコスト面でも非常に割高である。
【考案の開示】
【考案が解決しようとする課題】
【０００４】  本考案は上記の欠点等をなくすものである、簡単な構成でテンプルの拡開閉を１本のバネの応用で付勢力を与えることができ、使用者側の頭部に眼鏡を装着（セツティング）することが容易にする、バネ付テンプル（眼鏡）を提供して解決しようとするものである。
【課題を解決するための手段】
【０００５】  眼鏡（フロント）（１）の左右両側に配設された蝶番（雄）（３）とテンプル（２）に蝶番（雌）（５）を合体して枢軸（４）で止める、これまでは従来と同じであり、蝶番（雌）（５）蝶番溝（６）を通常の深さよりも深めに切り込むことを条件とする、蝶番（雌）（５）と蝶番（雄）（３）合体して、切り込んだ蝶番溝（６）の隙間にバネ（７）を通し、テンプル（２）側にバネ止めビス（８）で固着する、これでバネ（７）は梃の役目をする、テンプル（２）はバネ（７）の反発力で少々の拡開閉をしてくれます、頭部に適切に装着を可能にした技を解決手段とする。
【考案を実施するための最良の形態】
【０００６】本考案の実施の形態を図面に基ずいて詳細に説明する、次の通りであります。【０００７】  実施形態を図１から図４において説明する図の中の（１）（２）で示すものは１対の眼鏡である、左右対称に連結されてなる。眼鏡（フロント）（１）の端に固着された蝶番（雄）（３）とテンプル（２）に蝶番（雌）（５）と合体させて枢軸（４）連結する。本考案の蝶番（雌）（５）の蝶番溝（６）の深さを通常より約２ｍｍ程度深く切り込む事でバネ（７）が容易に通す事が出来る、バネ（７）は蝶番（雄）（３）の裏面に添うように曲げる、バネ（７）を延長しテンプル（２）の内側にバネ止めビス（８）で固着する。【０００８】  図２は、図１の状態を頭部に装着（セツティング）する時にテンプル（２）を約１０°ないし２０°を拡開した状態を示したものである、このときバネ（７）がの先端部分が蝶番（３）を梃の役目をする、そのためにバネ）（７）が反発力が働くために頭部に装着（セツティング）後、拡開した拡開したから手を放せばおのずとテンプル（２）が元に戻る、すなわち図１の状態に戻る、テンプル（２）は眼鏡（フロント）（１）との間隔は少し広めにすることが条件である、既存のテンプルの場合は必ずかみ合わせ（１０）を切削すること。【０００９】  図３は、図１と図２を重ねて１図面に示したものである、テンプル（２）が約２０°拡開した状態を点線で示したものである。【００１０】  図４は、先の実施形態を内側から見た側面図である、蝶番（５）の蝶番溝（６）がよく分かるように示した図である。【００１１】以上本考案は上記のように構成されているが、図に示す本考案はセルロイド材、樹脂材からなるもので、材質には限定されるものでは決してありません、例えば金属（メタル）眼鏡も同じくして、蝶番（５）の蝶番溝（６）を深くし、バネ（７）は蝶番（３）の裏面に沿わせる、バネ（７）を延長してテンプル（２）の内側にバネ止めビス（８）で固着するものである。
【考案の効果】
【００１２】  実施形態で説明した通りに本考案においては、１本のバネでもってテンプル（２）の拡開閉をよりよりスムーズになり、頭部に眼鏡の装着（セッテイング）が容易になった、機構的にもシンプルな事から製造コストの最低減で出来る、既存の眼鏡にも容易に改造する事も可能である、又殆ど目に付かないところにバネが施してあるためにデザインを損なわない効果がある。
【００１３】  また眼鏡のテンプルの開きの調整いかによっては、バネの反発が頭部に対してフイットするものである、もしも眼鏡の使用中における激しい運動をしたり、衝撃があったりした場合にも眼鏡がずれにくいといった効果がある。
【図面の簡単な説明】
【００１４】
【図１】    眼鏡（フロント）と普通状態のテンプル部分平面図。
【図２】    眼鏡（フロント）と拡開状態のテンプル部分平面図。
【図３】    眼鏡（フロント）と普通状態テンプルと拡開状態のテンプル部分表した平面図。
【図４】    眼鏡（フロント）と普通状態テンプルの内側から見た側面図。
【符号の説明】
【００１５】１            眼鏡（フロント）
２            テンプル
２Ｂ          テンプルの拡開状態
３            蝶番（雄）
４            枢軸
５            蝶番（雌）
５Ｂ          蝶番の拡開状態
６            蝶番溝
７            バネ
７Ｂ          バネ拡開状態
８            バネ止めビス
８Ｂ          バネ止めビス拡開状態
９            芯金
９Ｂ          芯金拡開状態
１０          テンプルかみ合わせ
【図１】
0003121784.tif 000003
【図２】
0003121784.tif 000004
【図３】
0003121784.tif 000005
【図４】
0003121784.tif 000006
【手続補正書】
【提出日】平成17年11月24日(2005.11.24)
【手続補正２】
【補正対象書類名】明細書
【補正対象項目名】全文
【補正方法】変更
【補正の内容】
【考案の詳細な説明】
【技術分野】
【０００１】  本考案は眼鏡のバネ付きテンプルに関する、眼鏡のテンプルが折り畳んである物を起こし、頭部に装着する際はさらに拡開される、しかし従来の眼鏡のテンプルは規定の巾にしか広がらない、頭部に装着する際には無理をして広げ頭部に装着することになる、本考案は無理なくテンプルが容易に拡開閉する技術を提供するものである。
【背景技術】
【０００２】  頭部から眼鏡を脱着しようとする際、テンプルを規定の巾より外側に無理して拡開しなければならない、これが原因でテンプルの取り付けの蝶番部分に大きな力が加わり、眼鏡自体の故障や眼鏡の変形が起こりやすい欠点があった、このような弊害をなくすための物が出回っている、これは眼鏡枠（フロント）とテンプルを蝶番で接続されて、テンプル側の蝶番の端部分に内装したコイルによって弾力に少々前後動く機構のバネ蝶番が存在している。【０００３】  しかしこの種のバネ蝶番は機構が複雑でありしかも機構部品が小さいものであり、テンプルの拡開閉を繰り返しているうちに、各部分が磨耗しやすい、また装着人の汗とか雨などの侵入しやすくまた埃などの付着などでスムーズに動かなくなると言った欠点があった、また小部品が多く使用している事からコスト面でも非常に割高である。
【考案の開示】
【考案が解決しようとする課題】
【０００４】  本考案は上記の欠点等をなくすものである、簡単な構成でテンプルの拡開閉を１本のバネの応用で付勢力を与えることができ、使用者側の頭部に眼鏡を装着（セツティング）することが容易にする、バネ付テンプルを提供して解決しようとするものである。
【課題を解決するための手段】
【０００５】  眼鏡（フロント）（１）の左右両側に配設された蝶番（３）とテンプル（２）に蝶番（５）を合体して枢軸（４）で止める、これまでは従来と同じであり、蝶番（５）の蝶番溝（６）を通常の深さよりも深めに切り込むことを条件とする、蝶番（５）と蝶番（３）合体して、切り込んだ蝶番溝（６）の隙間にバネ（７）を通し、テンプル（２）側にバネ止めビス（８）で固着する、これでバネ（７）は梃の役目をする、テンプル（２）はバネ（７）の反発力で少々の拡開閉をしてくれます、頭部に適切に装着を可能にした技を解決手段とする。
【考案を実施するための最良の形態】
【０００６】本考案の実施の形態を図面に基ずいて詳細に説明する、次の通りであります。【０００７】  実施形態を図１から図４において説明する図の中の（１）（２）で示すものは１対の眼鏡である、左右対称に連結されてなる。眼鏡（フロント）（１）の端に固着された蝶番（３）とテンプル（２）に蝶番（５）と合体させて枢軸（４）連結する。本考案の蝶番
（５）の蝶番溝（６）の深さを通常より約２ｍｍ程度深く切り込む事でバネ（７）が容易に通す事が出来る、バネ（７）は蝶番（３）の裏面に添うように曲げる、バネ（７）を延長しテンプル（２）の内側にバネ止めビス（８）で固着する。【０００８】  図２は、図１の状態を頭部に装着（セツティング）する時にテンプル（２）を約１０°ないし２０°を拡開した状態を示したものである、このときバネ（７）がの先端部分が蝶番（３）を梃の役目をする、そのためにバネ（７）が反発力が働くために頭部に装着（セツティング）後、拡開してから手を放せばおのずとテンプル（２）が元に戻る、すなわち図１の状態に戻る、テンプル（２）は眼鏡（フロント）（１）との間隔は少し広めにすることが条件である、既存のテンプルの場合は必ずかみ合わせ（１０）を切削すること。【０００９】  図３は、図１と図２を重ねて１図面に示したものである、テンプル（２）が約２０°拡開した状態を点線で示したものである。【００１０】  図４は、先の実施形態を内側から見た側面図である、蝶番（５）の蝶番溝（６）がよく分かるように示した図である。【００１１】以上本考案は上記のように構成されているが、図に示す本考案はセルロイド材、樹脂材からなるもので、材質には限定されるものでは決してありません、例えば金属（メタル）眼鏡も同じくして、蝶番（５）の蝶番溝（６）を深くし、バネ（７）は蝶番（３）の裏面に沿わせる、バネ（７）を延長してテンプル（２）の内側にバネ止めビス（８）で固着するものである。
【考案の効果】
【００１２】  実施形態で説明した通りに本考案においては、１本のバネでもってテンプル（２）の拡開閉をよりよりスムーズになり、頭部に眼鏡の装着（セッテイング）が容易になった、機構的にもシンプルな事から製造コストの最低減で出来る、既存の眼鏡にも容易に改造する事も可能である、又殆ど目に付かないところにバネが施してあるためにデザインを損なわない効果がある。
【００１３】  また眼鏡のテンプルの開きの調整いかによっては、バネの反発が頭部に対してフイットするものである、もしも眼鏡の使用中における激しい運動をしたり、衝撃があったりした場合にも眼鏡がずれにくいといった効果がある。
【図面の簡単な説明】
【００１４】
【図１】      眼鏡（フロント）と普通状態のテンプル部分平面図。
【図２】      眼鏡（フロント）と拡開状態のテンプル部分平面図。
【図３】      眼鏡（フロント）と普通状態テンプルと拡開状態のテンプル部分表した平面図。
【図４】      眼鏡（フロント）と普通状態テンプルの内側から見た側面図。
【符号の説明】
【００１５】  １          眼鏡（フロント）
２          テンプル
２Ｂ        テンプルの拡開状態
３          蝶番
４          枢軸
５          蝶番
５Ｂ        蝶番の拡開状態
６          蝶番溝
７          バネ
７Ｂ        バネ拡開状態
８          バネ止めビス
８Ｂ        バネ止めビス拡開状態
９          芯金
９Ｂ        芯金拡開状態
１０        テンプルかみ合わせ
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
テンプル（２）の内側にバネ（７）を止めビスで固定しバネ（７）の先端部を蝶番（５）の内側を通し、かつ蝶番（３）に添わしバネ（７）が梃子の応用となる、バネ付きテンプル。
【請求項２】
蝶番（５）の蝶番溝（６）を深くした蝶番を特徴とする、つまり蝶番（５）の蝶番溝（６）にバネ（７）を容易に通せる深さにした蝶番。
【手続補正書】
【提出日】平成18年2月17日(2006.2.17)
【手続補正１】
【補正対象書類名】実用新案登録請求の範囲
【補正対象項目名】全文
【補正方法】変更
【補正の内容】
【実用新案登録請求の範囲】
【請求項１】
テンプル（２）の内側にバネ（７）を止めビスで固定しバネ（７）の先端部を蝶番（５）の内側を通し、かつ蝶番（３）に添わしバネ（７）が梃子の応用となる、バネ付きテンプル。
【請求項２】
蝶番（５）の蝶番溝（６）にバネ（７）の太さ約１．０〜１．６ｍｍが通る事を可能にしたことを特徴とする請求項１に記載のバネ付きテンプル。
【手続補正書】
【提出日】平成18年2月17日(2006.2.17)
【手続補正１】
【補正対象書類名】明細書
【補正対象項目名】全文
【補正方法】変更
【補正の内容】
【考案の詳細な説明】
【技術分野】
【０００１】  本考案は眼鏡のバネ付きテンプルに関する、眼鏡のテンプルが折り畳んである物を起こし、頭部に装着する際はさらに拡開される、しかし従来の眼鏡のテンプルは規定の巾にしか広がらない、頭部に装着する際には無理をして広げ頭部に装着することになる、本考案は無理なくテンプルが容易に拡開閉する技術を提供するものである。
【背景技術】
【０００２】  頭部から眼鏡を脱着しようとする際、テンプルを規定の巾より外側に無理して拡開しなければならない、これが原因でテンプルの取り付けの蝶番部分に大きな力が加わり、眼鏡自体の故障や眼鏡の変形が起こりやすい欠点があった、このような弊害をなくすための物が出回っている、これは眼鏡枠（フロント）とテンプルを蝶番で接続されて、テンプル側の蝶番の端部分に内装したコイルによって弾力に少々前後動く機構のバネ蝶番が存在している。【０００３】  しかしこの種のバネ蝶番は機構が複雑でありしかも機構部品が小さいものであり、テンプルの拡開閉を繰り返しているうちに、各部分が磨耗しやすい、また装着人の汗とか雨などの侵入しやすくまた埃などの付着などでスムーズに動かなくなると言った欠点があった、また小部品が多く使用している事からコスト面でも非常に割高である。
【考案の開示】
【考案が解決しようとする課題】
【０００４】  本考案は上記の欠点等をなくすものである、簡単な構成でテンプルの拡開閉を１本のバネの応用で付勢力を与えることができ、使用者側の頭部に眼鏡を装着（セツティング）することが容易にする、バネ付テンプルを提供して解決しようとするものである。
【課題を解決するための手段】
【０００５】  眼鏡（フロント）（１）の左右両側に配設された蝶番（３）とテンプル（２）に蝶番（５）を合体して枢軸（４）で止める、これまでは従来と同じであり、蝶番（５）の蝶番溝（６）にバネ（７）の太さ１．０〜１．６ｍｍが通ることを可能にした事を特徴とする、蝶番（５）と蝶番（３）合体して、切り込んだ蝶番溝（６）の隙間にバネ（７）を通し、テンプル（２）側にバネ止めビス（８）で固着する、これでバネ（７）は梃の役目をする、テンプル（２）はバネ（７）の反発力で少々の拡開閉をしてくれます、頭部に適切に装着を可能にした技を解決手段とする。
【考案を実施するための最良の形態】
【０００６】本考案の実施の形態を図面に基ずいて詳細に説明する、次の通りであります。【０００７】  実施形態を図１から図４において説明する図の中の（１）（２）で示すものは１対の眼鏡である、左右対称に連結されてなる。眼鏡（フロント）（１）の端に固着された蝶番（３）とテンプル（２）に蝶番（５）と合体させて枢軸（４）連結する。本考案の蝶番（５）の蝶番溝（６）にバネ（７）太さ約１．０〜１，６ｍｍが通ることを可能にしたのが条件である、バネ（７）は蝶番（３）の裏面に添うように曲げる、バネ（７）を延長しテンプル（２）の内側にバネ止めビス（８）で固着する。【０００８】  図２は、図１の状態を頭部に装着（セツティング）する時にテンプル（２）を約１０°ないし２０°を拡開した状態を示したものである、このときバネ（７）の先端部分が蝶番（３）を梃の役目をする、そのためにバネ（７）が反発力が働くために頭部に装着（セツティング）後、拡開してから手を放せばおのずとテンプル（２）が元に戻る、すなわち図１の状態に戻る、テンプル（２）は眼鏡（フロント）（１）との間隔は少し広めにすることが条件である、既存のテンプルの場合は必ずかみ合わせ（１０）を切削すること。【０００９】  図３は、図１と図２を重ねて１図面に示したものである、テンプル（２）が約２０°拡開した状態を点線で示したものである。【００１０】  図４は、先の実施形態を内側から見た側面図である、蝶番（５）の蝶番溝（６）がよく分かるように示した図である。【００１１】以上本考案は上記のように構成されているが、図に示す本考案はセルロイド材、樹脂材からなるもので、材質には限定されるものでは決してありません、例えば金属（メタル）眼鏡も同じくして、蝶番（５）の蝶番溝（６）にバネ（７）太さ約０，８〜１，２ｍｍが容易に通せるのが条件である、バネ（７）は蝶番（３）の裏面に沿わせる、バネ（７）を延長してテンプル（２）の内側にバネ止めビス（８）で固着するものである。
【考案の効果】
【００１２】  実施形態で説明した通りに本考案においては、１本のバネでもってテンプル（２）の拡開閉をよりスムーズになり、頭部に眼鏡の装着（セッテイング）が容易になった、機構的にもシンプルな事から製造コストの最低減で出来る、既存の眼鏡にも容易に改造する事も可能である、又殆ど目に付かないところにバネが施してあるためにデザインを損なわない効果がある。
【００１３】  また眼鏡のテンプルの開きの調整いかによっては、バネの反発が頭部に対してフイットするものである、もしも眼鏡の使用中における激しい運動をしたり、衝撃があったりした場合にも眼鏡がずれにくいといった効果がある。
【図面の簡単な説明】
【００１４】
【図１】      眼鏡（フロント）と普通状態のテンプル部分平面図。
【図２】      眼鏡（フロント）と拡開状態のテンプル部分平面図。
【図３】      眼鏡（フロント）と普通状態テンプルと拡開状態のテンプル部分表した平面図。
【図４】      眼鏡（フロント）と普通状態テンプルの内側から見た側面図。
【符号の説明】
【００１５】１            眼鏡（フロント）
２            テンプル
２Ｂ          テンプルの拡開状態
３            蝶番
４            枢軸
５            蝶番
５Ｂ          蝶番の拡開状態
６            蝶番溝
７            バネ
７Ｂ          バネ拡開状態
８            バネ止めビス
８Ｂ          バネ止めビス拡開状態
９            芯金
９Ｂ          芯金拡開状態
１０          テンプルかみ合わせ